(57)【要約】【目的】    犬の散歩時に犬の排泄物等を処理している間、リード（２）とリード（３）とで設けられた輪っか部分（９）に、手や腕を即座に通すことが出来、他人に迷惑となる犬の飛びつきや、飛び出しによる車等への危険がなくなるリードを提供すること。【構成】    一本からなるリード（１）の途中に、分岐部（４）と分岐部（５）の間が、手、腕等で即座に保持出来るよう同等程度の長さのリード（２）及びリード（３）により部分的に二股で形成されているようにしたものである。【選択図】図１
2005333961.tif 000002
【特許請求の範囲】
【請求項１】
一本からなるリード（１）の途中に、分岐部（４）と分岐部（５）の間が、手、腕等で即座に保持出来るよう同等程度の長さのリード（２）及びリード（３）により部分的に二股で形成されていることを特徴とするリード（１）。
【請求項２】
部分的に二股で形成されているリード（２）及びリード（３）の片方に脱着バックル（６）が設けられたことを特徴とする特許請求項１に記載のリード（１）。
【発明の詳細な説明】
【技術分野】
【０００１】  本発明はペット用、特に犬用の引き紐、いわゆるリードに関するものである。
【背景技術】
【０００２】  従来、犬の散歩用リードは、一頭を引く場合、犬の首輪やハーネス等のＤカン等と接合する留め具（７）が一方の端部にあり、もう一方の端部は持ち手の握る輪っか部分になっている。
【発明の開示】
【発明が解決しようとする課題】
【０００３】  従来のリードで散歩している場合、犬が排泄をした時等、散歩者が排泄物を処理しいる間、リードの手を通す輪っか部分（８）に手や腕を通したままか、リードをある程度、適当にたぐり寄せて、排泄物を袋に入れたりする作業を行っていた。
しかし、リードの手を通す輪っか部分（８）と犬との距離、つまりリードの全長が長いため、つまり犬の動く範囲が広いままで作業をすることとなり、道路等では人が通ると犬が飛びつこうとしたり、車が来ると犬が広範囲に動くことが出来、非常に危険だった。又、買い物等で柵等に犬を係留する場合、犬の首輪等に接合している留め具（７）を一旦外して柵等にリードを通し、更に手元の輪っか部分（８）にリードをくぐらせ、再度留め具（７）を犬の首輪等のＤカン等に接合するという大変な手間があり、片手等で簡単に係留出来なかった。もちろん柵等に犬を係留した場合においても、柵の係留された輪っか部分（８）と犬との距離が長いため上記と同様に犬が広範囲に動いてしまうという問題があった。
【課題を解決するための手段】
【０００４】  上記課題を解決するために本発明は、一本からなるリード（１）の途中に、分岐部（４）と分岐部（５）の間が、手、腕等で即座に保持出来るよう同等程度の長さのリード（２）及びリード（３）により部分的に二股で形成しておく。
本発明は以上のような構成からなるリードである。
【発明の効果】
【０００５】  本発明のリード（１）は、以上のような構造であるため、リード（１）の途中に分岐部（４）と分岐部（５）の間が同等程度の長さでリード（２）及びリード（３）により部分的に二股で形成されているため、散歩時、犬が排泄をした時、その処理をする間、リード（２）とリード（３）の間の二股となった所、いわゆる輪っか部分（９）を手で握ったり腕を即座に入れて保持してやれば、犬の動きを制限でき処理作業を安全に行える。
このため、道路等で犬が人に飛びつけなくなり、車が来ても犬と散歩者がほぼ同位置にとどまることが出来、危険を回避できる。
更には、買い物等で柵等に犬を係留させておく場合にも、リード（２）に設けられた脱着バックル（６）をはずして柵にリード（２）を通して脱着バックル（６）をつければ簡単に係留出来、係留のための工程数も減り、しかも先の場合と同様にリード（２）とリード（３）の間の二股となった輪っか部分（９）が柵等の係留端部になるため、犬の近くを通る人に飛びつく事も出来ず、又車が来ても広い範囲で動くことが出来ない非常に安全に優れたものにもなる。
【発明を実施するための最良の形態】
【０００６】  本発明におけるリード（１）、リード（２）及びリード（３）の形状、厚み、大きさ、色等のデザインや材質はもとより、製造方法等は特に限定されない。
又、リードの長さも一般的に知られている一本引きの１００ｃｍ〜１６０ｃｍ等に適応されるのが好ましいが特に限定されるものではない。
図１の中のリード端面の留め具（７）から分岐部（４）の長さ（Ａ）は、分岐部（４）から持ち手輪っか部（８）の長さ（Ａ’）と同じ程度とするのが好ましい。
なお、リード（２）及びリード（３）の長さ（Ｂ）も持ち手輪っか部（８）の長さ（Ｂ’）と同程度とするのが好ましい。
なお、リード（２）及びリード（３）の長さもそれぞれ同じ程度の長さにしておけば、散歩使用時には、犬と散歩者の間を繋ぐリード（１）は、「ピン」と伸びた状態になっているので、一見、リード（２）とリード（３）が二股になっているとはわからず、実際、犬に引っ掛かったり巻きついたりと、犬の動きの邪魔になることは一切無いため、通常の一本引きリードのように見え、取扱にも一本引きリードと全く同じように扱うことが出来、便利である。
もろちん、該分岐部（４）及び分岐部（５）の形成方法はリードが布地であれば、縫製等の手段が簡便に用いられるが、なんら限定されるものではない。
ただ、分岐部（４）及び分岐部（５）は、手や腕を入れるためのものであり、犬の動く力に負けないように、強固にリード（１）に縫い付けられて入るものがその性質上好ましく、縫い付けられた分岐部（４）及び分岐部（５）に更にテーピングを施し強度を増す等の手段をとっても良い。
リード（２）に設けられる脱着バックル（６）の取り付け方や材質、大きさ、色等のデザイン等も特に限定されない。
又、犬の首輪やハーネスのＤカン等と接合される留め具（７）の取り付け方や材質、大きさ、色等も先の着脱バックル（６）と同様、特に限定されない。
【実施例】
【０００７】  以下、本発明の実施例を図１、図２、及び図３で説明するが、これによって本発明は限定されるものではない。
リード（１）の端面は持ち手輪っか部（８）及びもう片方の端面には犬の首輪やハーネスのＤカン等と接合される留め具（７）が設けられている。
該リード（１）のほぼ中央に分岐部（４）が、又留め具（７）側に分岐部（５）が、手、腕等で保持出来るよう、同程度の長さのリード（２）とリード（３）により、部分的に二股となるよう縫製して形成しておく。
そして図３に示すように、こうして出来たリード（２）及びリード（３）の間の輪っか部分（９）に排泄物処理の際、手や腕等を即座に入れて犬の動きを制限するのである。
なお、図２のようにリード（２）の途中に脱着バックル（６）を設けておいてもよい。
【図面の簡単な説明】
【０００８】
【図１】本発明の１実施例を示す斜視図である。
【図２】本発明の１実施例を示す斜視図である。
【図３】本発明の図２の部分斜視図である。
【符号の説明】
１  リード    ２  リード    ３  リード    ４  分岐部    ５  分岐部
６  脱着バックル    ７  留め具    ８  持ち手輪っか部    ９  輪っか部分
Ａ  リード端面の留め具（７）から分岐部（４）の長さ
Ａ’分岐部（４）から持ち手輪っか部（８）の長さ
Ｂ  リード（２）及びリード（３）の長さ
Ｂ’持ち手輪っか部（８）の長さ
【図１】
2005333961.tif 000003
【図２】
2005333961.tif 000004
【図３】
2005333961.tif 000005